(57)【要約】銀行券または小切手等のセキュリティドキュメントには穿孔パタン（５）が設けられており、この穿孔パタン（５）には、長細い断面を有する孔（５ａ，５ｂ）が設けられている。該穿孔パタン（５）を、該ドキュメントの表面に対して非垂直な方向から見た場合、異なる孔は異なる光透過性を有する。この光透過性は、目によって検査されるかまたは電子的に検査される。このタイプの穿孔パタン（５）を偽造するのは困難であり、検査しやすい。
2005533686.tif 000002
【特許請求の範囲】
【請求項１】
ドキュメントの正当性を検査する方法であって、
該ドキュメントには、複数の穿孔（５ａ，５ｂ）を有する担体（１）が設けられており、
前記穿孔の少なくとも一部には、最小直径（ｄ１，ｄ１'）および最大直径（ｄ２，ｄ２'）を有する長細い断面が設けられている形式の方法において、
該担体（１）の表面（１ａ）に対して非垂直な少なくとも１つの視方向（７'）から該ドキュメントを見て、前記穿孔（５ａ，５ｂ）の光透過性から正当性を導き出すステップを有することを特徴とする方法。
【請求項２】
前記穿孔（５ａ，５ｂ）の光透過性と所期の光透過性とを比較するステップを有する、請求項１記載の方法。
【請求項３】
該ドキュメントを、前記穿孔（５ａ，５ｂ）のうち少なくとも幾つかの最大直径（ｄ２，ｄ２'）に対して平行な方向に対して垂直な少なくとも１つの方向から見る、請求項２記載の方法。
【請求項４】
該ドキュメントを、前記穿孔（５ａ，５ｂ）のうち少なくとも幾つかの最小直径（ｄ１，ｄ１'）に対して平行な方向に対して垂直な少なくとも１つの方向から見る、請求項１から３までのいずれか１項記載の方法。
【請求項５】
前記穿孔（５ａ，５ｂ）は該担体（１）を、前記表面に対して垂直な方向に貫通している、請求項１から４までのいずれか１項記載の方法。
【請求項６】
前記最小直径（ｄ１，ｄ１'）は、該担体（１）の厚さ（Ｄ）に実質的に等しいか、または該厚さ（Ｄ）より小さい、請求項１から５までのいずれか１項記載の方法。
【請求項７】
セキュリティドキュメントであって、
担体（１）と、該担体に複数の穿孔（５ａ，５ｂ）を有するセキュリティ特徴とが設けられており、
前記穿孔（５ａ，５ｂ）のうち少なくとも一部には、最小直径（ｄ１，ｄ１'）および最大直径（ｄ２，ｄ２'）を有する長細い断面が設けられている形式のものにおいて、
該セキュリティドキュメントには、異なる断面を有する少なくとも２つの穿孔（５ａ，５ｂ）が設けられていることを特徴とする、とりわけ請求項１から６までのいずれか１項記載の方法を実施するためのセキュリティドキュメント。
【請求項８】
前記穿孔（５ａ，５ｂ）は、面積が等しくかつ形状が異なる断面を有する、請求項７記載のセキュリティドキュメント。
【請求項９】
前記複数の穿孔は、第１のタイプ（５ａ）の穿孔および第２のタイプ（５ｂ）の穿孔を有し、
第１のタイプの穿孔の最小直径（ｄ１）は、第２のタイプの穿孔の最大直径（ｄ２'）に対して平行である、請求項７または８記載のセキュリティドキュメント。
【請求項１０】
前記複数の穿孔（５ａ，５ｂ）は、等しい面積の断面を有し、該担体（１）の表面に対して垂直な視方向から見られた場合、均一な透過度を有する、請求項７から９までのいずれか１項記載のセキュリティドキュメント。
【請求項１１】
前記穿孔（５ａ，５ｂ）は、該担体（１）の表面に対して非垂直な角度で見られた場合、人によって認識可能な透過性を形成する、請求項７から１０までのいずれか１項記載のセキュリティドキュメント。
【請求項１２】
前記穿孔（５ａ，５ｂ）は該セキュリティドキュメントを、該担体（１）の表面（１ａ）に対して垂直な方向に貫通する、請求項７から１１までのいずれか１項記載のセキュリティドキュメント。
【請求項１３】
各穿孔（５ａ，５ｂ）は、実質的に均一に該セキュリティドキュメントを貫通している断面を有する、請求項７から１２までのいずれか１項記載のセキュリティドキュメント。
【請求項１４】
該担体（１）はフレキシブルなプラスチックまたは紙から成り、
該セキュリティドキュメントは、とりわけ銀行券またはパスポートの一部である、請求項７から１３までのいずれか１項記載のセキュリティドキュメント。
【請求項１５】
前記穿孔（５ａ，５ｂ）のうち幾つかは、円形の断面を有し、および／または、２次元アレイで配置されている、請求項７から１４までのいずれか１項記載のセキュリティドキュメント。
【請求項１６】
最小直径（ｄ１，ｄ１'）は、該担体（１）の厚さ（Ｄ）に実質的に等しいか、または該厚さ（Ｄ）より小さい、請求項７から１５までのいずれか１項記載のセキュリティドキュメント。
【請求項１７】
すべての穿孔の最小直径（ｄ１，ｄ１'）は等しく、
とりわけ、すべての穿孔のすべての最小直径（ｄ１，ｄ１'）は相互に平行である、請求項７から１６までのいずれか１項記載のセキュリティパタン。
【請求項１８】
最大直径（ｄ２，ｄ２'）は少なくとも、最小直径（ｄ１，ｄ１'）より少なくとも１．５倍大きい、請求項７から１７までのいずれか１項記載のセキュリティパタン。
【発明の詳細な説明】
【技術分野】
【０００１】
技術分野
本発明は、セキュリティドキュメントの正当性を検査する方法と、細長い断面の穿孔を有するセキュリティドキュメントとに関する。
【０００２】
背景技術
精細な穿孔が、セキュリティドキュメントのためのセキュリティ特徴として有効に使用されている。このセキュリティドキュメントはすなわち、合理的かつ高信頼性で証明できる正当性を有するドキュメントであり、たとえば銀行券、パスポートまたはパスポートの一部、小切手等である。
【０００３】
ＷＯ９７／１８０９２には、透過時に見る際には可視であり反射時に見る際には不可視である精細な穿孔のパタンが設けられたセキュリティドキュメントが開示されている。この特徴は、ドキュメントを認証するのに非常に信頼性が高い手段だと考えられていたが、この穿孔および同様の穿孔の独自性を向上させ、認識可能性および信頼性の程度を上昇させることが望まれている。
【０００４】
ＷＯ００／４３２１６では、とりわけドキュメントを斜めに貫通する穿孔を付加することが開示されている。この穿孔は、所定の角度で見なければならない。しかし、このような斜めの穿孔を製造するのは困難であり、該穿孔の品質は、時間が経過するにつれて劣化してしまうことがある。このことはとりわけ、しばしば機械的な応力にさらされる紙または薄いプラスチックのシートのドキュメントのために使用される場合、たとえば銀行券のために使用される場合に起こる。
【０００５】
発明の開示
したがって本発明の対象は、穿孔を基礎とする前記形式のセキュリティ特徴の信頼性をさらに向上させるための上記形式の方法およびドキュメントを提供することである。
【０００６】
前記対象は、独立請求項に記載された方法およびドキュメントによって達成される。
【０００７】
本発明では、長細い断面を有する穿孔によって観察される作用が利用される。このような穿孔を、ドキュメントの表面に対して非垂直な方向から見る場合、透過特性は、穿孔の断面の最小直径および最大直径の方向に関連して、視方向の方向付けに依存する。したがって該ドキュメントを上記の方向から見ることにより、観察された穿孔の光の透過性からドキュメントの正当性を検出することができる。このことはたとえば、観察された穿孔の光の透過性と所期の光の透過性とを比較して、一致しない場合には該ドキュメントを無効として拒絶することにより実施される。
【０００８】
穿孔の最小直径に対して垂直な方向から該穿孔を見る場合、視方向と該ドキュメントに対して垂直な方向との間の角度が大きくなっても、大きな透過性が観察される。他方、穿孔の最大直径に対して垂直な方向から穿孔を見る場合、透過性は小さくなる。したがってこれら２つの視方向は、検査するのに有利な視方向である。有利には、これら２つの視方向が使用される。
【０００９】
ドキュメントに、異なる断面を有する複数の穿孔が設けられている場合、視方向に沿って１回見るだけで、異なる所期の光の透過値を有する、異なって方向付けられた穿孔を観察することができる。このことによって、検査の信頼性がさらに上昇する。
【００１０】
視覚的作用を著しく強化するためには、長細い穿孔の最小直径を実質的に、ドキュメント担体の厚さに等しくするか、または該厚さよりも小さくしなければならない。
【００１１】
図面の簡単な説明
発明の以下の詳細な説明を参酌すると、本発明をより詳細に理解し、上記の対象とは別の対象を知ることができる。この説明では、添付図面が参照される。
【００１２】
図面
図１  セキュリティ穿孔パタンを有する銀行券を示している。
【００１３】
図２  セキュリティ穿孔パタンの拡大図である。
【００１４】
図３  図２の穿孔パタンを詳細に示している。
【００１５】
図４  図３の穿孔の断面図である。
【００１６】
図５  第２の可能な穿孔パタンを詳細に示している。
【００１７】
図６  第３の穿孔パタンを詳細に示している。
【００１８】
発明の実施形態
図１は、紙またはプラスチックの担体１を有する銀行券を示している。この担体１は、通常のグラフィカル要素およびテキスト要素２，３，４と、セキュリティ穿孔パタン５とを有する。
【００１９】
図２に示されているように、セキュリティ穿孔パタン５は複数の穿孔（孔）５ａ，５ｂを有し、これらは担体１を貫通している。穿孔は２次元アレイで配置されている。有利には穿孔は、担体１の全体を貫通するが、担体１の表面に対して垂直な視方向から見たときの穿孔における光透過度が、未穿孔の場所よりも格段に大きい場合には、該担体１の一部だけ貫通させるだけでもよい。
【００２０】
穿孔パタン５の拡大図である図２に示されたように、異なる２つのタイプの孔が使用されている。
【００２１】
各穿孔タイプの孔５ａおよび５ｂが、図３に示されている。ここに図示された実施形態では、各孔５ａ，５ｂは長細い断面を有し、担体１の表面１ａに対して垂直な方向に該担体１を貫通している。この断面は有利には、実質的に均一に担体１を貫通している。
【００２２】
図３および図４の実施形態における孔５ａおよび５ｂの断面は、同じ長細い形状であるが、相互に９０°の角度で回転されている。各孔はほぼ楕円形の断面であり、この楕円形の断面はそれぞれ最小直径ｄ１およびｄ１' と最大直径ｄ２およびｄ２' とを有する。孔５ａの最小直径ｄ１は、孔５ｂの最大直径ｄ２' に対して実質的に平行であり、孔５ａの最大直径ｄ２は、孔５ｂの最小直径ｄ１' に対して実質的に平行である。
【００２３】
最小直径ｄ１およびｄ１' は有利には、それぞれ担体１の厚さＤより小さいか、または該厚さＤに近似的に等しく、有利には１５０μｍを上回らない。銀行券の場合には、最小直径ｄ１およびｄ１' を５０μ〜３００μｍの範囲内とすることができる。最大直径は、最小直径より十分に大きく、たとえば最小直径より１．５倍大きい。
【００２４】
孔５ａ，５ｂの断面の面積は、有利には等しい。この場合、ドキュメントを光源に対して、担体１の表面１ａに対して垂直な視方向７から、光の透過時に見る場合、両方のタイプの孔の透過性は等しく、孔の明るさは等しくなる。しかし、表面１ａに対して垂直でない視方向７' から見た場合、異なるタイプの孔５ａ，５ｂを透過された全体の光は、一般的に異なる。というのも、光の一部が孔の壁によって遮蔽されるからだ。たとえば図４の方向７' からドキュメントを見る場合、光の最大量のうち約５０％が孔５ａを透過されるのに対し、孔５ｂは実質的に遮蔽されているように見える。
【００２５】
一般的に、最小直径ｄ１の方向ｍ１に対して垂直な視方向に沿って穿孔パタンを見る場合に、高い透過性が観察される。それに対して低い透過性が観察されるのは、視方向が最大直径ｄ２の方向ｍ２に対して垂直である場合である。
【００２６】
この作用は、表面１ａに対して非垂直な少なくとも１つの視方向からドキュメントを見ることによって該ドキュメントの正当性を検査するのに使用される。観察された穿孔の光透過性はたとえば、該視方向から見た所期の光透過性と比較される。
【００２７】
視覚的な検査を簡易化するためには、異なる断面を有する２つのタイプの穿孔を担体１に設けるのが有利である。このことは、たとえば図３，５または６に示されている。ドキュメントを表面１ａに対して非垂直な方向から見た場合、この２つのグループの穿孔は、一般的には異なる光透過性を有する。このことによって、透過性を視覚的に比較して特徴をチェックすることができる。
【００２８】
たとえば、方向ｍ１に対して垂直でありかつ表面１ａに対して非垂直な視方向から図２の穿孔パタン５を見た場合、一般的には十字形の中の穿孔が、該十字形の外側の穿孔より良好に見える。
【００２９】
図３および４の実施形態では、２つのタイプの孔５ａ，５ｂは、相互に９０°回転された断面を有する。別の実施形態では、これらの孔は異なる形状の断面を有する。しかし有利には、異なるタイプの点の断面の面積は実質的に等しく、表面１ａに対して垂直な視方向に沿って見た場合、穿孔は実質的に均一な光透過性を有する。このような穿孔の２つの孔の一例が、図５に示されている。
【００３０】
また、異なる断面を有する２つより多くのタイプの点が設けられた穿孔パタンを使用することもできる。こうすることによって、ドキュメントをある角度で見たときに、より精巧な作用が得られる。
【００３１】
穿孔パタンを人間によって検査しなければならない場合、人によって認識可能なパタンが形成されるように、孔のタイプを構成するのが有利である。これはたとえば、図２の十字形である。
【００３２】
穿孔パタン５の穿孔は有利には、レーザパルスによって製造される。長細い断面を有する孔を形成するためには、レーザからのビームをパルスの印加中に移動させるか、または複数の別個のパルスを相互に接して、空間的にオーバラップするように印加することができる。
【００３３】
穿孔パタンの形成は、すべての点の寸法が一方向でのみ異なる場合、最も簡単になる。というのも、孔形成中に作動すべきビーム偏向器を１つだけ使用すればよくなるからだ。したがって、すべての孔の最小直径が等しく相互に平行であるパタンが実現される。
【００３４】
長細い孔および円形の孔を有する相応の実施形態が、図６に示されている。第１のタイプの孔５ａは、第２のタイプの孔５ｂの両直径ｄ１' に等しい最小直径ｄ１を有する。
【００３５】
上記の小さな穿孔パタンを、純粋に機械的な手段によって形成するのは、最高でも困難である。リッジを回避するためには、機械的なドリルを使用しなければならないだろうが、ここに示されたタイプの長細い孔をドリル技術によって形成するのは、非常に難しい。それゆえ長細い孔を使用すると、機械的な製造技術を利用して穿孔パタンを偽造するのがさらに困難になる。
【００３６】
また、機械的に製造された穿孔の縁部は粗くなるので、レーザ光によって形成された穿孔と比較して、機械的に製造された穿孔の光散乱は増加する。
【００３７】
穿孔パタンを機械的に再現するのを困難にするためには、孔の最小直径ｄ１，ｄ１' を、有利には１５０μｍ以下にしなければならない。
【００３８】
ここに図示された実施形態では、穿孔パタン５は銀行券において使用されたが、他の類似する適用において使用することもできる。この適用は、たとえば小切手またはパスポートのページ、または偽造が困難であるべき他のドキュメントである。担体１は有利には、紙またはフレキシブルなプラスチックである。
【００３９】
ここで本発明の有利な実施形態が図示および説明されたが、本発明はこれらの実施形態に制限されることはなく、従属請求項の範囲内で変更して構成および実施できることは、歴然として理解できる。
【図面の簡単な説明】
【００４０】
【図１】セキュリティ穿孔パタンを有する銀行券を示している。
【００４１】
【図２】セキュリティ穿孔パタンの拡大図である。
【００４２】
【図３】図２の穿孔パタンを詳細に示している。
【００４３】
【図４】図３の穿孔の断面図である。
【００４４】
【図５】第２の可能な穿孔パタンを詳細に示している。
【００４５】
【図６】第３の穿孔パタンを詳細に示している。
【図１】
2005533686.tif 000003
【図２】
2005533686.tif 000004
【図３】
2005533686.tif 000005
【図４】
2005533686.tif 000006
【図５】
2005533686.tif 000007
【図６】
2005533686.tif 000008
【手続補正書】
【提出日】平成17年7月22日(2005.7.22)
【手続補正１】
【補正対象書類名】特許請求の範囲
【補正対象項目名】請求項７
【補正方法】変更
【補正の内容】
【請求項７】
セキュリティドキュメントであって、
担体（１）と、該担体に複数の穿孔（５ａ，５ｂ）を有するセキュリティ特徴とが設けられており、
前記穿孔（５ａ，５ｂ）のうち少なくとも一部には、最小直径（ｄ１，ｄ１'）および最大直径（ｄ２，ｄ２'）を有する長細い断面が設けられている形式のものにおいて、
該セキュリティドキュメントには、異なる断面を有する少なくとも２つの穿孔（５ａ，５ｂ）が設けられていることを特徴とする、セキュリティドキュメント。
【手続補正２】
【補正対象書類名】特許請求の範囲
【補正対象項目名】請求項１７
【補正方法】変更
【補正の内容】
【請求項１７】
すべての穿孔の最小直径（ｄ１，ｄ１'）は等しく、
とりわけ、すべての穿孔のすべての最小直径（ｄ１，ｄ１'）は相互に平行である、請求項７から１６までのいずれか１項記載のセキュリティドキュメント。
【手続補正３】
【補正対象書類名】特許請求の範囲
【補正対象項目名】請求項１８
【補正方法】変更
【補正の内容】
【請求項１８】
最大直径（ｄ２，ｄ２'）は少なくとも、最小直径（ｄ１，ｄ１'）より少なくとも１．５倍大きい、請求項７から１７までのいずれか１項記載のセキュリティドキュメント。
【国際調査報告】
2005533686.tif 000009
2005533686.tif 000010